(57)【要約】      （修正有）【課題】十分な液体吸収性を持ち、また、体内組織を傷つけない柔らかい手術用ガーゼ等に使用する事が出来る医療用シルクパッドを提供する。【解決手段】医療用シルクパッドは絹繊維を３〜７ｃｍ程度の短繊維に切断し、バインダーを用いる事なく、ニードルパンチ又はスパンレース方式により不織布を作製する。絹繊維を切断した短繊維を水流絡合法で絡合させ不織布を作成する。用いている絹繊維が未精錬のものである。更に医療用シルクパッドを素材とする創傷用パッドを作成する。【選択図】図１
2014050656.tif 000002
【特許請求の範囲】
【請求項１】
絹繊維を切断した短繊維のみから成る医療用シルクパッド
【請求項２】
絹繊維を切断した短繊維をニードルパンチ、スパンレース方式で結合させて成る医療用シルクパッド
【請求項３】
絹繊維を切断した短繊維を水流絡合法で絡合させて成る医療用シルクパッド
【請求項４】
用いている絹繊維が未精錬のものである請求項１〜３のいずれかに記載の医療用シルクパッド
【請求項５】
請求項１〜４のいずれかに記載の医療用シルクパッドを素材とする創傷用パッド
【発明の詳細な説明】
【技術分野】
【０００１】本発明は、褥瘡、創傷、熱傷を治療する目的で用いられる医療用シルクパッドに関する。
【背景の技術】
【０００２】手術用ガーゼと称されるものは主に綿、レーヨンから成り、手術中に組織保護用として使われる患部ガーゼ、吸収や拭き取り用として使われる尺角ガーゼ（ワイパー）、及び、外科処置に使う当てガーゼ（ドレッシング）等がある。
手術用ガーゼには、次のような役割がある。
▲１▼  血液・排水の吸収
▲２▼  手術部位の仕切り
▲３▼  組織・器官・切開組織の保護とクッション
といった役割である。手術用ガーゼには次のような特性が要求される。
ａ．Ｘ線造影性が高く、位置の確認が容易である。
ｂ．折り畳んだり、開いたりすることが容易である。
ｃ．機能的に十分な乾・湿強度を有する。
ｄ．低リント性・ほつれに対する抵抗性がある。
ｅ．適度な液体吸い上げ性と吸収量を備える。
ｆ．組織接触時に組織表面に外傷を与えない。
ｇ．組織の水和作用のために最適の液体保持性能を備える。
ｈ．高圧蒸気・ガスによって滅菌可能である。
ｉ．高速加工・低コストである。
ｊ．安全性と毒物の規格への適合。
といった特性が要求される。
【先行技術文献】
【０００３】    このような要求に応えられるものとして、現在、世界中で、患部ガーゼとしては、レーヨン・コットンと強度を出すためのポリエステルをブレンドしたスパンレース方式が使われている。また、創部の浸出液の吸収或いは保護を目的とするドレッシングには、綿糸織布ガーゼが使用されている。一般に、このガーゼは幅３０ｃｍの原反（尺角）が基本で、それを創部の大きさに応じてカットし或は折り畳んで使われているが、裁断した後の糸くずや折り畳む手間などの欠点が存在する。
【非特許文献】
【０００４】
【非特許文献１】  「日本医科別技術用特殊文献参照（医療用不織布ハンドブック）、１９９４年１０月、株式会社南山堂発行」。
【発明の概要】
【発明が解決しようとする課題】
【０００５】    一方、不織布はシーツ、手術着等、医療の各分野において広く用いられているが、従来用いられている不織布は、いずれもレーヨン、コットン、ナイロン、ポリエステル等の合成繊維を素材とするものであった。従来の綿糸織布ガーゼは、綿パッド方式でも古くから使用されているため、その安全性は立証されているが、上記糸くずの欠点を有する他、液体吸収力が必ずしも十分ではないため、創部の出血が多い場合には何度も交換する必要があった。また、綿糸ガーゼは一見柔らかいように見えるが、体内組織に対しては比較的硬く、体内組織の表面から剥がす場合癒着して剥がれにくく細かい疵を付けると言う欠点がある。【０００６】    本発明はこのような課題を解決するために成されたものであり、その目的とするところの一つは、十分な吸収性を持ち、また、体内組織を傷つけない柔らかい医療用シルクパッドを提供する事にある。また、それ以外の医療用途、例えば日常茶飯に起き得る創傷用の治療目的にも広く用いる事が出来る素材を提供する。
【課題を解決するための手段】
【０００７】    上記課題を解決するために成された本発明の医療用シルクパッドは絹繊維を切断した短繊維のみから成る事を特徴とするものである。従って、繊維を固定するためのバインダー（接着剤）も使用しない。【０００８】    絹繊維は、未精練のもの、精練を行ったもののどちらでも良いが、未精練のものの方が低コストで製造出来る上、精練時の薬品の残留の心配がないため、高度の薬品排除性を要求される用途には適している。但し、精練後充分な脱薬品処理を行なう場合、或はそれ程の薬品排除性が要求されない場合には、精練した絹繊維を用いても良い。【０００９】    短繊維の長さは３〜７ｃｍ程度とする。これより短いと絡合が不十分と成るとともに、リントが発生しやすくなる。また、これより長くても絡合がうまくゆかず、ほつれの多い不織布となる。なお、更に好ましくは４〜６ｃｍ程度とする。【００１０】    絹短繊維を不織布とするための絡合には、ニードルパンチ、スパンレース方式のいずれをも採用する事が出来る。【００１１】    ニードルパンチ方式の場合、本発明に係る不織布は次のようにして作製する。まず、原絹繊維（長繊維）を適宜の長さに切断して、短繊維とする。これを網の上に載せ、網を振動させる事により、フリース（繊維の集積層）を形成する。その際、フリースに僅かの湿気を与えておく。フリースに湿気を与える方法としては、フリースに霧状の水を噴霧したり、雰囲気の湿度を高くしておく等の方法をとる事が出来る。
これにより、絹繊維間の摩擦による静電気を除去し、絹繊維相互の静電気による離反を防止して、フリースの形成を容易にする。また、後述のニードルパンチ工程において、針と繊維との粘着度を増し、繊維の絡合を容易にする。【００１２】    次に、移動するフリースの中に、垂下棒により支えられた回転可能な羽根を挿入する。羽根はフリースの移動に伴い回転し、フリース内の絹繊維の撹拌を行なうとともに、短いクズ繊維を除去する。（濾塵）【００１３】    次に、フリースにニードルを繰り返し貫通させる事により繊維を絡ませ、一体化された不織布を得る。最後に加熱ローラで加圧することにより厚さを揃え、完成品とする。【００１４】    また、スパンレース方式の場合は、同様に濾塵を行なったフリースに高圧の柱状の水流を噴射して、繊維の絡合を行なう。
【発明の効果】
【００１５】    創傷用パッドとしては、ニードルパンチ、スパンレース方式のいずれの方法で作製したものでも用いる事が出来るが、保液能（血液等の液体を吸収し、保持しておく能力）を重視する場合には三層から成るシルクパッドが最適である。【００１６】    次に、本発明に係る医療用シルクパッドは、絹を素材とするため柔らかく、創面組織を拭っても表面に細かい疵を付ける事が殆どない。また、素材である三層パッドが適度な液体吸収能を有する上、比較的密に集積したパッド組織とする事により創傷の体内から出る滲出液を十分吸収保有能を有する上、創に対し適度な湿潤状態も合わせて有する為、人体の自然治癒を助け、早く、美しく治癒効果がある。
しかも、シルク独自の柔らかさが有り、従来のセルロース系のガーゼと違いシルクは動物性タンパク由来の素材であるので、癒着しないで患部から剥がす時痛みが少なく、特に創部の傷が綺麗に、目立ちにくくなる。
【図面の簡単な説明】
【００１７】
【図１】三層構造パッドの構成を示す図
【発明を実施するための形態】
【００１８】    以下、本発明の実施の形態を図１に基づいて説明する。
【００１９】    図においては、Ａは外部からの汚染を防止し、創部から出てくる滲出液を外部に漏らさず、Ｂは創部から出てくる滲出液を吸収して創に湿潤状態をつくり、Ｃは創面に当たる部分でありシルク独自の柔らかさが有り、動物性タンパク由来の素材であるので、交換時に剥がしやすく疼痛緩和に優れている。それぞれの役目をこなし、Ｄの三層構造にすることにより治癒の促進を早める。
【００２０】    創傷用、熱傷用として使用する際は、従来のガーゼと同様、シンメルやケッテル等で加熱する事により殺菌を行なう。本発明の医療用シルクパッドは絹を創面に当てるとするが、従来の綿糸ガーゼと同様の高圧蒸気滅菌やガス滅菌（ＥＯＧ）等を行なう限り、その特性が変化する事はない。
【００２１】    本発明に係る医療用シルクパッドは、上記説明した手術用ガーゼの他、包帯、救急絆創膏（傷テープとも言う。）に使用する事が出来る。もちろん、これらの各用途に応じて目付等を適宜変更することが望ましい。
手術用の縫合糸には従来より絹糸が用いられており、その人体適合性について問題がない事は既に実証されている。そして、絹繊維はアレルギーを起こす事が少ない事も知られている。本発明に係る医療用シルクパッドは創面に当たる部分がシルクであるため、肌や体内組織に直接触れる部分にも安心して使用する事が出来る。
【符号の説明】
【００２２】Ａ  ポリエチレン、ポリエステルフィルムから成る層
Ｂ  レーヨンポリエステル不織布から成る層
Ｃ  シルク不織布から成る層
Ｄ  三層構造パッド
【図１】
2014050656.tif 000003